(57)【要約】【課題】充電中のユーザの利便性の低下を抑制できる。【解決手段】制御装置（６）は、携帯端末（１００）の複数の箇所のそれぞれにおいて検出された温度に応じて、複数の第１充電回路（１２ａ）〜第４充電回路（１２ｄ）のそれぞれから出力される出力電流の出力電流量を調整する電流量調整部（６１）を備える。【選択図】図１
2020054051.tif 000002
【特許請求の範囲】
【請求項１】
電池への電流の供給を制御する制御装置であって、
前記電池と前記電池を充電する複数の充電回路とを備える電子機器の複数の箇所のそれぞれにおいて検出された温度に応じて、前記複数の充電回路のそれぞれから出力される出力電流の出力電流量を調整する電流量調整部を備える、制御装置。
【請求項２】
前記電流量調整部は、前記温度が相対的に高い箇所の最も近くに配置された充電回路の前記出力電流量を相対的に低くすると共に、前記温度が相対的に低い箇所の最も近くに配置された充電回路の前記出力電流量を相対的に高くする、請求項１に記載の制御装置。
【請求項３】
前記電流量調整部は、
前記温度の平均値に対する前記温度の割合である温度比を算出し、
前記温度比の逆数の合計値に対する前記温度比の逆数の割合を、前記充電回路に分配する電流の分配比として算出し、
前記電流の分配比に応じて前記出力電流量を調整する、請求項１又は２に記載の制御装置。
【請求項４】
前記電池と、
前記複数の充電回路と、
熱源となる複数の部品と、
前記複数の部品のうちの少なくとも２以上の部品の近傍に配置された、周囲の温度を検出する複数の温度検出部と、
前記複数の温度検出部の検出結果に基づき、前記出力電流量を調整する請求項１から３の何れか１項に記載の制御装置と、を備える、電子機器。
【請求項５】
電池への電流の供給を制御する制御方法であって、
前記電池と前記電池を充電する複数の充電回路とを備える電子機器の複数の箇所のそれぞれにおいて温度を検出する検出ステップと、
前記検出ステップにて検出された温度に応じて、前記複数の充電回路のそれぞれから出力される出力電流の電流量を調整する電流量調整ステップを含む、制御方法。
【請求項６】
請求項１に記載の制御装置としてコンピュータを機能させるための制御プログラムであって、上記電流量調整部としてコンピュータを機能させるための制御プログラム。
【発明の詳細な説明】
【技術分野】
【０００１】
本発明は、電池への電流の供給を制御する制御装置等に関する。
【背景技術】
【０００２】
電子機器の発熱対策に関する技術が、例えば特許文献１及び２に開示されている。特許文献１には、スタンバイ状態以外の動作状態となった場合に、スタンバイ状態における規定充電電流値よりも低く設定された充電電流値に切り換える携帯型電子機器が開示されている。特許文献２には、サーミスタが検出した温度と複数の間接的入力とに基づいて、クーリング・オプションを制御し、コンピュータの温度を適切に制御する温度管理システムが開示されている。
【先行技術文献】
【特許文献】
【０００３】
【特許文献１】特開２００７−１６６７７４号公報
【特許文献２】特開２００７−３２３６７８号公報
【発明の概要】
【発明が解決しようとする課題】
【０００４】
しかしながら、特許文献１の技術の場合、充電中の発熱を抑制するために充電制御回路から出力される充電電流を低下させるといった、携帯型電子機器の動作制限を行っている。特許文献２の技術においても、発熱を抑制するために、コンピュータの何等かの動作制限を行っている。このように、従来技術においては、発熱により電子機器の動作が制限されるため、ユーザの利便性が低下する可能性があった。
【０００５】
本発明の一態様は、充電中の、電子機器に対するユーザの利便性の低下を抑制することが可能な制御装置等を実現することを目的とする。
【課題を解決するための手段】
【０００６】
上記の課題を解決するために、本発明の一態様に係る制御装置は、電池への電流の供給を制御する制御装置であって、前記電池と前記電池を充電する複数の充電回路とを備える電子機器の複数の箇所のそれぞれにおいて検出された温度に応じて、前記複数の充電回路のそれぞれから出力される出力電流の出力電流量を調整する電流量調整部を備える。
【０００７】
さらに、上記の課題を解決するために、本発明の一態様に係る制御方法は、電池への電流の供給を制御する制御方法であって、前記電池と前記電池を充電する複数の充電回路とを備える電子機器の複数の箇所のそれぞれにおいて温度を検出する検出ステップと、前記検出ステップにて検出された温度に応じて、前記複数の充電回路のそれぞれから出力される出力電流の電流量を調整する電流量調整ステップを含む。
【発明の効果】
【０００８】
本発明の一態様によれば、充電中の、電子機器に対するユーザの利便性の低下を抑制できる。
【図面の簡単な説明】
【０００９】
【図１】電池の充電に係る携帯端末の構成例を示すブロック図である。
【図２】携帯端末の内部構成例を示すブロック図である。
【図３】制御装置における処理例を示すフローチャートである。
【図４】制御装置における分配比の算出例を示す図である。
【図５】携帯端末の内部構成の別例を示すブロック図である。
【発明を実施するための形態】
【００１０】
〔実施形態１〕
以下、図１〜図４を用いて、本発明の一実施形態について詳細に説明する。
【００１１】
＜携帯端末の部品の配置例＞
まず、図２を用いて、携帯端末１００（電子機器）の内部構成例について説明する。図２は、携帯端末１００の内部構成例を示すブロック図である。なお、図２は、温度センサが熱源となる部品の近傍に配置されることを説明するために参照される図であり、図２に示す部品（部材）の種類及び配置はあくまで一例であることに留意されたい。
【００１２】
携帯端末１００は、携帯型の情報処理端末（例：スマートフォン、タブレット等の多機能情報処理端末）であり、例えば、図示しない表示部、操作部及び撮像部を備える。また、図２に示すように、携帯端末１００は、その内部に、充電コネクタ１、電池２、表示制御回路３、撮像制御回路４、無線回路５及び制御装置６を備える。
【００１３】
充電コネクタ１は、充電器２００が接続される接続端子であり、充電器２００が接続されている間、充電器２００から供給される電流（充電電流）を電池２へと供給する。電池２は、携帯端末１００が備える各部品（例：表示制御回路３、撮像制御回路４、無線回路５及び制御装置６）を動作させるため、充電器２００からの電流を蓄電する蓄電池（二次電池）である。表示制御回路３は、表示部に対する画像の表示制御を行う。撮像制御回路４は、撮像部に対する撮像制御を行う。無線回路５は、無線媒体を介した外部装置とのデータ通信を行う。制御装置６は、携帯端末１００の各部材を総括して制御するものであり、例えばＣＰＵ（Central Processing Unit）により実現される。
【００１４】
また、携帯端末１００は、充電器能力判定回路１１を備える。充電器能力判定回路１１は、充電コネクタ１に接続された充電器２００がどの程度の電流供給能力を有しているか否かを判定する回路であり、充電器２００から取出す電流の最大電流量を規定する。また、充電器能力判定回路１１は、制御装置６が算出した分配比（後述）に従って最大電流量を案分し、案分した電流量を入力電流量として、各充電回路に入力電流を供給する。
【００１５】
また、携帯端末１００は、複数の充電回路として、第１充電回路１２ａ、第２充電回路１２ｂ、第３充電回路１２ｃ及び第４充電回路１２ｄを備える。また、複数の温度センサ（温度検出部）として、第１温度センサ１３ａ、第２温度センサ１３ｂ、第３温度センサ１３ｃ及び第４温度センサ１３ｄを備える。なお、上記の充電回路を「充電回路１２」と呼称し、上記の温度センサを「温度センサ１３」と呼称する場合もある。
【００１６】
複数の充電回路１２はそれぞれ、充電器能力判定回路１１から供給された入力電流の入力電流量を、電池２に供給可能な出力電流量に変換し、出力電流を電池２に供給する。図２では、充電器能力判定回路１１から各充電回路１２までの電流経路を太線の矢印で、各充電回路１２から電池２までの電流経路を二重線の矢印でそれぞれ表している（図１においても同様）。
【００１７】
本実施形態では、複数の充電回路１２はそれぞれ、表示制御回路３、撮像制御回路４、無線回路５及び制御装置６の近傍に配置されている。つまり本実施形態では、複数の充電回路１２は互いに離隔して設けられている。この場合、複数の充電回路１２が集中して設けられることによる、局所的に発熱量が大きくなるヒートスポットの発生を抑制できる。
【００１８】
なお本実施形態では、複数の充電回路１２は、温度センサ１３の数の分（本例では４個）設けられている。しかしながら、複数の充電回路１２の数は、携帯端末１００における部品の配置エリアの大きさに応じて適宜調整される。
【００１９】
複数の温度センサ１３は、携帯端末１００の内部のそれぞれ異なる箇所に配置され、その周囲の温度を検出する。また、複数の温度センサ１３は、それぞれ熱源となる部品の近傍に配置されている。本実施形態では、熱源となる表示制御回路３、撮像制御回路４、無線回路５及び制御装置６の近傍に配置されている。なお、複数の温度センサ１３は、少なくとも２以上の、熱源となる部品の近傍にそれぞれ配置されていればよい。例えば、相対的に温度が高くなりやすく、かつ携帯端末１００の動作に影響を与えやすい部品の近傍に優先して温度センサ１３を配置しても構わない。
【００２０】
また、上記の各部品以外の、携帯端末１００が備える種々の部品も、熱源となる部品となり得る（例えば、電池２、充電器能力判定回路１１及び充電回路１２）。そのため、例えば電池２、充電器能力判定回路１１及び充電回路１２のそれぞれの近傍に温度センサ１３が設けられても構わない。
【００２１】
また、温度センサ１３が検出する温度は、後述のように、電池２の充電時に各充電回路１２の出力電流量を調整するために用いられる。そのため、温度センサ１３は、充電中に温度検出動作を行えばよい。
【００２２】
＜携帯端末の充電に係る構成例＞
次に、図１を用いて、電池２の充電に係る携帯端末１００の構成例について説明する。図１は、電池２の充電に係る携帯端末１００の構成例を示すブロック図である。図１に示すように、第１充電回路１２ａは第１電流制御回路２１ａ、第２充電回路１２ｂは第２電流制御回路２１ｂ、第３充電回路１２ｃは第３電流制御回路２１ｃ、第４充電回路１２ｄは第４電流制御回路２１ｄをそれぞれ備える。第１電流制御回路２１ａ〜第４電流制御回路２１ｄを「電流制限回路２１」と呼称する場合もある。
【００２３】
電流制限回路２１は、充電器能力判定回路１１から供給された入力電流の入力電流量を、電池２に供給可能な出力電流量に変換する。具体的には、電流制限回路２１は、充電器２００の動作電圧（例：５Ｖ）を電池２の充電電圧（例：４．４Ｖ）に変換するＤＣ／ＤＣコンバータである。電流制限回路２１は、上記の電圧を変換することにより、上記の電流量の変換を行う。
【００２４】
また、制御装置６は、電流量調整部６１を備える。電流量調整部６１は、ＣＰＵとしての制御装置６によりその機能が実現される機能ブロックであっても構わないし、制御装置６が備える論理回路であっても構わない。
【００２５】
電流量調整部６１は、携帯端末１００の複数の箇所のそれぞれにおいて検出された温度に応じて、携帯端末１００の動作を制限しないように、複数の充電回路１２のそれぞれから出力される出力電流の出力電流量を調整する。
【００２６】
具体的には、図１に示すように、電流量調整部６１は、例えば所定時間毎に、複数の温度センサ１３のそれぞれが検出した温度を示す温度データ（検出結果）を取得する。電流量調整部６１は、取得した温度データが示す温度に応じて、各充電回路１２に案分する入力電流量の分配比を算出し、算出した分配比を示す分配比データを充電器能力判定回路１１に送信する。充電器能力判定回路１１は、分配比データが示す分配比に応じて各充電回路１２の入力電流量を決定し、決定した入力電流量で各充電回路１２に入力電流を供給する。各充電回路１２の電流制限回路２１は、入力電流量を出力電流量に変換し、当該出力電流量で出力電流を電池２に供給する。つまり、電流量調整部６１は、複数の温度センサ１３のそれぞれが検出した温度に応じて、各充電回路１２の入力電流量と共に出力電流量（つまり充電電流量）を調整する。
【００２７】
ここで、従来の携帯端末のように、充電回路が１つのみ配置されている場合について、図２を参照しながら考える。例えば、充電回路が無線回路の近傍に配置されている場合（図２においては第３充電回路１２ｃに対応）、充電しながらデータ通信を行うと、無線回路及び充電回路の発熱によって、無線回路においてヒートスポットが発生する。同様に例えば、充電回路が撮像制御回路の近傍に配置されている場合（図２においては第２充電回路１２ｂに対応）、充電しながら撮像制御回路を動作させると、撮像制御回路及び充電回路の発熱によって、撮像制御回路においてヒートスポットが発生する。このように携帯端末の動作状態（動作モード）に応じて発熱箇所が変わる。
【００２８】
そのため、一般には、携帯端末を操作しながら充電する場合、充電による発熱を抑制するために、動作モードに応じて電池に供給する充電電流量（充電電流値）を制限する（例：特許文献１の技術）。その他、充電電流量を維持する代わりに、所定の動作（例：表示動作、撮像動作）又はクロック周波数を制限することも考えられる。つまり、一般の携帯端末では、充電による発熱を抑制するために、携帯端末の何等か動作を制限することになるため、ユーザの利便性が低下する可能性がある。
【００２９】
また、部品の発熱の影響を受けにくい位置に充電回路を配置することで、ヒートスポットの発生を抑制することも可能ではある。しかしながら、配置エリアの制約により、全ての部品からの影響を受けない位置に充電回路を配置することは、現実的には不可能である。携帯端末には様々な種類の部品が搭載されており、上述の通り、動作モードによって発熱する部品は変わる。そのため、充電回路の配置により充電中の発熱を抑制することは困難である。
【００３０】
上記のように、本実施形態の携帯端末１００は、複数の充電回路１２を配置することで、複数の電流経路（充電経路）（マルチパス）を有する。そして、制御装置６では、電流量調整部６１は、携帯端末１００の複数の箇所のそれぞれにおいて検出された温度に応じて、携帯端末１００の動作を制限しないように、複数の充電回路１２のそれぞれの出力電流量を調整する。換言すれば、電流量調整部６１は、検出された各温度に応じて、携帯端末１００の動作を制限しないように、複数の電流経路に流れる電流の電流量を調整する（動的に制御する）。そのため、携帯端末１００では、電流の制限及び各部品の動作制限（デバイス動作制限）といった、携帯端末１００の動作制限を行うことなく、充電に伴う発熱を抑制できる。従って、充電中の発熱に伴う、携帯端末１００に対するユーザの利便性の低下を抑制できる。
【００３１】
電流量調整部６１は、具体的には、温度が相対的に高い箇所の最も近くに配置された充電回路１２の出力電流量を相対的に低くすると共に、温度が相対的に低い箇所の最も近くに配置された充電回路１２の出力電流量を相対的に高くする。つまり、電流量調整部６１は、温度が相対的に低い箇所の最も近くに配置された充電回路１２の電流経路を流れる電流の電流量を優先的に高くし、温度が相対的に低い箇所の最も近くに配置された充電回路１２の電流経路を流れる電流の電流量を低くする。
【００３２】
温度が高い箇所ほど電流量を低くするので、当該箇所での発熱を抑制できる。そのため、当該箇所に配置された部品に対し、充電に伴う発熱による動作制限を行う必要が無い。また、温度が低い箇所ほど電流量を高くするため、電池２に供給される出力電流の総出力電流量を維持できる。従って、何れの動作モードにおいても充電中における局所的な発熱を抑制できると共に、出力電流量の低減も含め、携帯端末１００の動作制限を回避できる。
【００３３】
電流量調整部６１は、上記のような出力電流量の調整を実現するために、例えば以下のような処理を行う。具体的には、電流量調整部６１は、各温度センサ１３から取得した温度データが示す温度の平均値に対する当該温度の割合である温度比を、温度センサ１３毎に算出する。そして、算出した温度比の逆数の合計値に対する当該温度比の逆数の割合を、充電器２００（具体的には、充電器能力判定回路１１）から充電回路１２に分配される電流の分配比として、充電回路１２毎にそれぞれ算出する。そして、電流量調整部６１は、算出した分配比を示す分配比データを充電器能力判定回路１１に送信することで、分配比に応じた各充電回路１２の入力電流量及び出力電流量の調整を行う。これにより、各充電回路１２は、温度比に基づき算出された分配比に応じた出力電流量で、出力電流を電池２に供給できる。
【００３４】
ここで、各温度センサ１３と各充電回路１２とは対応付けられている。つまり、各温度センサ１３の温度データに基づき算出される分配比は、各温度センサ１３に対応付けられた充電回路１２の入力電流量を決定するために用いられる。具体的には、第１温度センサ１３ａが検出した温度を示す温度データは、第１温度センサ１３ａに最も近い位置に配置された第１充電回路１２ａの入力電流量を決定するための分配比を算出するために用いられる。同様に、第２温度センサ１３ｂ〜第４温度センサ１３ｄの温度データはそれぞれ、第２温度センサ１３ｂ〜第４温度センサ１３ｄのそれぞれに最も近い位置に配置された第２充電回路１２ｂ〜第４充電回路１２ｄの入力電流量を決定するための分配比を算出するために用いられる。
【００３５】
また、電流量調整部６１は、分配比の適正化を図るために、温度比の逆数に対する重み付けを行っても構わない。例えば、算出した温度比の逆数を乗算する回数を重み付け値として設定できる。つまり、重み付け値をｎとすると、分配比は、
｛（温度比の逆数）ｎ／（温度比の逆数）ｎの合計値｝
として算出される。なお、重み付け値を１とした場合、分配比は、上記の通り、温度比の逆数の合計値に対する温度比の逆数の割合として算出される。重み付け値は、実験等を経て、発熱による動作制限を行う必要がない出力電流量となる分配比が算出されるように設定されればよい。
【００３６】
＜携帯端末の充電処理例＞
次に、図３を用いて、充電時における携帯端末１００の処理例について説明する。図３は、制御装置６における処理例を示すフローチャートである。
【００３７】
充電器２００が充電コネクタ１に接続されると、電流量調整部６１は、各分配比が互いに等しくなるように、各分配比を設定する（Ｓ１）。つまりこのとき、各充電回路１２の入力電流量は互いに等しくなるため、各充電回路１２の出力電流量も互いに等しくなる。なお、各分配比は、初期状態（充電開始時又は充電開始前）においては、互いに等しくなるように予め設定されていても構わない。また、充電器２００が充電コネクタ１に接続されたときに、各温度センサ１３は温度検出動作を開始する（各温度センサ１３がオンになる）。
【００３８】
電流量調整部６１は、充電開始から所定時間経過したとき、各温度センサ１３がその時点で検出した温度を示す温度データを、各温度センサ１３から取得する（Ｓ２）。電流量調整部６１は、各温度センサ１３から取得した温度データに基づき、温度センサ１３毎に温度比を算出する（Ｓ３）。電流量調整部６１は、算出した各温度比の逆数に対して重み付けを行うと共に、重み付け後の温度比の逆数の合計値を算出する。そして、電流量調整部６１は、当該合計値に対する、重み付け後の温度比の逆数の割合である分配比を、充電回路１２毎に算出する（Ｓ４）。なお、上述の通り重み付けを行う必要は必ずしも無い。電流量調整部６１は、算出した各分配比を示す分配比データを充電器能力判定回路１１に送信することで、上述のように結果として、分配比に応じて各充電回路１２の出力電流量の調整を行う（Ｓ５）。つまり、各充電回路１２は、各充電回路１２に対応する分配比に応じた出力電流量で、出力電流を電池２に供給する。
【００３９】
電流量調整部６１は、Ｓ５の処理後、充電が完了したか否かを判定する（Ｓ６）。電流量調整部６１により充電が完了したと判定された場合（Ｓ６でＹＥＳ）、制御装置６は、各温度センサ１３の温度検出動作を停止し（各温度センサ１３をオフにし）、本処理を終了する。一方、電流量調整部６１は、充電が完了していない（つまり充電中である）と判定した場合（Ｓ６でＮＯ）、Ｓ２の処理に戻る。電流量調整部６１は、前回Ｓ２において温度データを取得してから所定時間経過した時点で、再度温度データを取得し、Ｓ３〜Ｓ５の処理を行う。つまり、Ｓ２〜Ｓ５の処理は、充電完了となるまで行われる。
【００４０】
このように、制御装置６における、電池２への電流の供給を制御する制御方法は、携帯端末１００の複数の箇所のそれぞれにおいて検出された温度に応じて、携帯端末１００の動作を制限しないように、各充電回路１２の出力電流量を調整する電流量調整ステップ（上記Ｓ６）を含む。また、携帯端末１００における上記制御方法は、上記複数の箇所のそれぞれにおいて温度を検出する検出ステップ（Ｓ２の前提となるステップ）と、上記Ｓ６の電流量調整ステップと、を含む。
【００４１】
なお上記では、充電開始時に各温度センサ１３がオンされ、充電完了時にオフされる。つまり上記では、各温度センサ１３は、充電中、周囲の温度を随時検出している状態となっている。しかしながら、各温度センサ１３は周囲の温度を随時検出していなくても構わない。この場合、電流量調整部６１は、所定時間毎に各温度センサ１３に温度検出指示を行うことで、各温度センサ１３が温度を検出し、温度データを電流量調整部６１に送信する。つまりこの場合、各温度センサ１３は、温度検出指示を受けたときにオンとなり、温度データを送信した後にオフとなる。
【００４２】
＜分配比の算出例＞
次に、図４を用いて、各充電回路１２の出力電流量の決定に寄与する分配比の算出例について説明する。図４は、制御装置６における分配比の算出例を示す図である。図４の例では、電流量調整部６１が、初期状態（充電開始時）から所定時間毎に７回、各温度センサ１３から温度データを取得した場合の、各回における分配比の算出例を示している。また、本例の重み付け値は３に設定されている。
【００４３】
初期状態では、温度データの取得は行われず、各分配比が互いに等しくなるように設定されている。そのため、第１充電回路１２ａ〜第４充電回路１２ｄの各分配比は「０．２５」となっている。従って、初期状態においては、充電器能力判定回路１１に与えられる最大電流量を４Ａ（ｍＡ）とすれば、第１充電回路１２ａ〜第４充電回路１２ｄに入力される各入力電流の入力電流量は全てＡ（ｍＡ）となる。その結果、第１充電回路１２ａ〜第４充電回路１２ｄに出力される各出力電流の出力電流量は全てαＡ（ｍＡ）となる。αはＤＣ−ＤＣ変換により決定される係数である。
【００４４】
尚、初期状態において各分配比が互いに等しくなるように設定されている例を説明したが、初期状態からある程度温度が上昇することが予想される充電回路１２の出力電流量を低く設定しておいても良い。
【００４５】
初期状態から所定時間経過後の１回目の分配比の算出においては、第１温度センサ１３ａ〜第４温度センサ１３ｄが検出した温度は全て２５（℃）である。そのため、第１充電回路１２ａ〜第４充電回路１２ｄの各分配比も「０．２５」と互いに等しくなる。そのためこの場合も、各出力電流量は全てαＡ（ｍＡ）となる。
【００４６】
２回目の分配比の算出においては、第１温度センサ１３ａ〜第４温度センサ１３ｄが検出した温度はそれぞれ８０（℃）、３０（℃）、２５（℃）及び２５（℃）となっている。そのため、第１充電回路１２ａ〜第４充電回路１２ｄの各分配比は「０．０１１６９６」、「０．２２１７９２」、「０．３８３２５６」及び「０．３８３２５６」と算出される。その結果、第１温度センサ１３ａ〜第４温度センサ１３ｄの出力電流量はそれぞれ、０．０１１６９６×α×４Ａ、０．２２１７９２×α×４Ａ、０．３８３２５６×α×４Ａ、及び０．３８３２５６×α×４Ａとなる。
【００４７】
つまり、温度が最も高い第１温度センサ１３ａの最も近くに配置された第１充電回路１２ａの分配比が最も低く算出され、結果として第１充電回路１２ａの出力電流量が最も低くなる。一方、温度が最も低い第３温度センサ１３ｃ及び第４温度センサ１３ｄのそれぞれの最も近くに配置された第３充電回路１２ｃ及び第４充電回路１２ｄの分配比が最も高く算出され、結果として第３充電回路１２ｃ及び第４充電回路１２ｄの出力電流量が最も高くなる。
【００４８】
３回目以降においても、上記と同様に分配比が算出される。つまり、温度が相対的に高い箇所（当該温度を検出した温度センサ１３）の最も近くに配置された充電回路１２の出力電流量が相対的に低くなる。一方、温度が相対的に低い箇所（当該温度を検出した温度センサ１３）の最も近くに配置された充電回路１２の出力電流量が相対的に高くなる。無論、図４に示すように、検出された温度が同じである２以上の箇所については、各箇所から最も近い充電回路１２の出力電流量のそれぞれも同じとなる。
【００４９】
〔実施形態２〕
本発明の他の実施形態について、図５を用いて以下に説明する。なお、説明の便宜上、上記実施形態にて説明した部材と同じ機能を有する部材については、同じ符号を付記し、その説明を繰り返さない。図５は、携帯端末の内部構成の別例を示すブロック図である。
【００５０】
携帯端末１００Ａは、携帯端末１００と同様の機能及び構成を有するが、図５に示すように、制御装置６、第４充電回路１２ｄ及び第４温度センサ１３ｄを備えない点で、携帯端末１００と異なる。つまり本実施形態では、制御装置６は、携帯端末１００Ａと通信可能なように接続される、携帯端末１００Ａの外部装置として実現されている。この場合、制御装置６は、無線回路５を介して、第１温度センサ１３ａ〜第３温度センサ１３ｃが検出した温度を示す温度データを取得すると共に、当該温度データに基づき算出した分配比を示す分配比データを充電器能力判定回路１１に送信する。つまり本実施形態では、制御装置６は、携帯端末１００Ａの外部から、携帯端末１００Ａの複数の箇所のそれぞれにおいて検出された温度に応じて、携帯端末１００Ａの動作を制限しないように、第１充電回路１２ａ〜第３充電回路１２ｃの出力電流量を調整する。
【００５１】
〔ソフトウェアによる実現例〕
制御装置６の制御ブロック（特に電流量調整部６１）は、集積回路（ＩＣチップ）等に形成された論理回路（ハードウェア）によって実現してもよいし、ソフトウェアによって実現してもよい。
【００５２】
後者の場合、制御装置６は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５３】
〔まとめ〕
本発明の態様１に係る制御装置は、電池への電流の供給を制御する制御装置であって、前記電池と前記電池を充電する複数の充電回路とを備える電子機器の複数の箇所のそれぞれにおいて検出された温度に応じて、前記複数の充電回路のそれぞれから出力される出力電流の出力電流量を調整する電流量調整部を備える。
【００５４】
さらに、本発明の態様２に係る制御装置では、態様１において、前記電流量調整部は、前記温度が相対的に高い箇所の最も近くに配置された充電回路の前記出力電流量を相対的に低くすると共に、前記温度が相対的に低い箇所の最も近くに配置された充電回路の前記出力電流量を相対的に高くしても構わない。
【００５５】
さらに、本発明の態様３に係る制御装置では、態様１又は２において、前記電流量調整部は、前記温度の平均値に対する前記温度の割合である温度比を算出し、前記温度比の逆数の合計値に対する前記温度比の逆数の割合を、前記充電回路に分配する電流の分配比として算出し、前記電流の分配比に応じて前記出力電流量を調整しても構わない。
【００５６】
さらに、本発明の態様４に係る電子機器は、前記電池と、前記複数の充電回路と、熱源となる複数の部品と、前記複数の部品のうちの少なくとも２以上の部品の近傍に配置された、周囲の温度を検出する複数の温度検出部と、前記複数の温度検出部の検出結果に基づき、前記出力電流量を調整する態様１から３の何れか１項に記載の制御装置と、を備える。
【００５７】
さらに、本発明の態様５に係る制御方法は、電池への電流の供給を制御する制御方法であって、前記電池と前記電池を充電する複数の充電回路とを備える電子機器の複数の箇所のそれぞれにおいて温度を検出する検出ステップと、前記検出ステップにて検出された温度に応じて、前記複数の充電回路のそれぞれから出力される出力電流の電流量を調整する電流量調整ステップを含む。
【００５８】
さらに、本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００５９】
さらに、本発明は次のようにも表現できる。つまり、本発明の一態様に係る充電システム（電子機器）は、電流制限部（電流制限回路）を有する複数の充電回路部（充電回路）と、複数の温度センサと、制御部（制御装置）とを有し、当該温度センサで検出された各温度に応じて、各充電回路の充電量を制御する。
【００６０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
２      電池（電池、部品）
３      表示制御回路（部品）
４      撮像制御回路（部品）
５      無線回路（部品）
６      制御装置（制御装置、部品）
１１    充電器能力判定回路（部品）
６１    電流量調整部
１２    充電回路（充電回路、部品）
１２ａ〜１２ｄ    第１〜第４充電回路（充電回路、部品）
１３    温度センサ（温度検出部）
１３ａ〜１３ｄ    第１〜第４温度センサ（温度検出部、部品）
１００、１００Ａ  携帯端末（電子機器）
【図１】
2020054051.tif 000003
【図２】
2020054051.tif 000004
【図３】
2020054051.tif 000005
【図４】
2020054051.tif 000006
【図５】
2020054051.tif 000007